(57)【特許請求の範囲】
【請求項１】
転写紙上に画像を転写し、加圧加熱して画像を定着させる電子写真装置において、定着ローラと加圧ローラとを有する定着部と、排紙部と、カバー類とを具えた定着排紙ユニットを構成し、前記定着排紙ユニットが、電子写真装置本体のベース板上を該装置本体をカバー類で閉鎖して操作者が定着排紙ユニットの定着部に接触するのを防止できる閉鎖位置と、ジャム紙を除去したり、メンテナンス作業を行うスペースを確保できる開放位置との間を横方向に移動可能に設置され、閉鎖位置にあるとき定着排紙ユニットを電子写真装置本体に係止する係止手段が設けられ、定着排紙ユニットの閉鎖位置及び開放位置への移動に連動して、定着部における加圧ローラによる定着ローラへの加圧及び加圧解除が行われ、定着部における転写紙の加圧は、加圧ローラの軸部と、該軸部を支承するレバー部材と、該レバー部材を加圧ローラの軸部を押し上げるように作用するばね材とで行われ、レバー部材とばね材とは電子写真装置本体に設けられていることを特徴とする電子写真装置。
【請求項２】
電子写真装置本体にレバー部材と協働する加圧ローラ案内部が設けられ、該レバー部材及び加圧ローラ案内部の表面は、閉鎖位置から開放位置の方向に向けて下向きに傾斜していることを特徴とする請求項１に記載の電子写真装置。
【発明の詳細な説明】
【０００１】
【発明の属する技術分野】
この発明は、転写紙上に画像を転写し、加圧加熱して画像を定着させる電子写真装置に関するものである。
【０００２】
【従来の技術】
従来この種の電子写真装置の典型的なものとしては、図７，８に示すようなものがあり、この電子写真装置６１は定着ローラ６２と加圧ローラ６３とを有する定着部６４を具え、給紙カセット６５から搬送されて転写部７１で転写された未定着画像を担持した転写紙に、定着部６４において定着ローラ６２と加圧ローラ６３とで、加熱、加圧して画像を定着し、転写紙は排紙部６６において定着ローラ６２から分離したうえ排出トレー６７に排出されている。そしてこのような定着部６４と排紙部６６とは、これにカバー６８を加えてひとつの定着排紙ユニット６９として構成され、この定着排紙ユニット６９は電子写真装置６１がコンパクトにされるのに対応してコンパクト化されるようになっている。このような定着排紙ユニット６９は、その排紙側の両側板７１の下部が、電子写真装置６１の側板７２に枢軸７３で枢支されていて、図７に示す閉鎖位置と、図８に示す開放位置との間を移動可能となっている。
【０００３】
【発明が解決しようとする課題】
ところでこのような定着排紙ユニット６９は、通常は高温な定着排紙ユニット６９に操作者が簡単に接触するのを防止するために閉鎖位置となっている。この場合転写紙を正確に搬送しなければならないことから、正確な位置決めが行われるように、位置決め機構が設けられている。そして発生したジャム紙を除去する場合、又はメンテナンス作業を行うような場合には、給紙カセット６５及び排出トレー６７を取外して、定着排紙ユニット６９を開放位置に移動することとなる。ところで前記のように定着排紙ユニット６９を閉鎖位置から開放位置に移動させても、その構成上それらの作業を行うに必要な充分に大きなスペースを確保することができず、また定着ローラ６２と加圧ローラ６３とが圧着したままとなっているので、これらにくわえられたジャム紙、特に大きなサイズのジャム紙の除去が困難で、破ってしまうことがあるという問題がある。
【０００４】
そこでこの発明の目的は、前記のような従来の電子写真装置のもつ問題を解消し、転写紙ジャムを除去したり、メンテナンス作業を行うために、定着排紙ユニットを開放位置に移動させると、簡単な操作で大きなスペースを確保することができて、それらの作業を容易に行うことができ、また大きなサイズのジャム紙であっても、定着ローラと加圧ローラとの間から簡単に除去することができて、破ってしまうことがない電子写真装置を提供するにある。
【０００５】
【課題を解決するための手段】
前記のような目的を達成するために、請求項１に記載の発明は、転写紙上に画像を転写し、加圧加熱して画像を定着させる電子写真装置において、定着ローラと加圧ローラとを有する定着部と、排紙部と、カバー類とを具えた定着排紙ユニットを構成し、前記定着排紙ユニットが、電子写真装置本体のベース板上を該装置本体をカバー類で閉鎖して操作者が定着排紙ユニットの定着部に接触するのを防止できる閉鎖位置と、ジャム紙を除去したり、メンテナンス作業を行うスペースを確保できる開放位置との間を横方向に移動可能に設置され、閉鎖位置にあるとき定着排紙ユニットを電子写真装置本体に係止する係止手段が設けられ、定着排紙ユニットの閉鎖位置及び開放位置への移動に連動して、定着部における加圧ローラによる定着ローラへの加圧及び加圧解除が行われ、定着部における転写紙の加圧は、加圧ローラの軸部と、該軸部を支承するレバー部材と、該レバー部材を加圧ローラの軸部を押し上げるように作用するばね材とで行われ、レバー部材とばね材とは電子写真装置本体に設けられていることを特徴とするものである。
【０００８】
請求項２に記載の発明は、請求項１において、電子写真装置本体にレバー部材と協働する加圧ローラ案内部が設けられ、該レバー部材及び加圧ローラ案内部の表面は、閉鎖位置から開放位置の方向に向けて下向きに傾斜していることを特徴とするものである。
【０００９】
【発明の実施の形態】
図１，２には発明の第１実施形態が示されており、１は電子写真装置本体、２は感光体ドラム、３は帯電チャージャ、４は現像ユニット、６はクリーニングユニット、７は定着排紙ユニットをそれぞれ示す。
【００１０】
定着排紙ユニット７は、定着ローラ８、加圧ローラ９、上ステー材１１、原稿テーブル１２、定着側板１３、下ステー材１４、排紙ローラ１８、上前カバー２０、下前カバー２１を有し、定着ローラ８は定着側板１３に回転可能に支持され、その回転軸２２の定着側板１３から突出した端部に従動歯車１６が取付けられ、加圧ローラ９はその回転軸３６が定着側板１３に設けた図示を省略した縦長孔に上下動と回転とが可能なように支持されており、回転軸３６の下ステー材１４は定着側板１３の下部に取付けられている。定着側板１３の前側縁に突出部を形成し、この突出部にノッチ４２が設けられている。
【００１１】
このような定着排紙ユニット７は、下方両側に移動レール３０が取付けられており、移動レール３０の先端にはノッチ４５が設けられている。また定着排紙ユニット７には係止手段２６が取付けられており、この係止手段２６は定着側板１３に取付けられた枢軸３１に後端が枢支されたロック爪２８を有し、このロック爪２８の先端にノッチ３２が設けられている。そしてこのロック爪２８は、枢軸３１に巻着しているつるまきばね３４によって、枢軸３１を中心にして図４において常時反時計方向に付勢されており、ロック爪２８には操作レバー３３が設けられている。
【００１２】
一方電子写真装置本体１は、ベース板１０を有し、このベース板１０の両側の支持側板２５の内側には、定着排紙ユニット７の移動レール３０が嵌合して移動する固定レール２７が取付けられている。また支持側板２５の上部外側には定着モータ１７と、駆動歯車１９とが取付けられ、定着モータ１７と駆動歯車１９との間にタイミングベルト１５が懸張されている。支持側板２５の定着排紙ユニット７側の側縁に加圧ローラ９の回転軸３６を支承するレバー部材３７が配置されて、図５に示すようにレバー部材３７の基端は枢軸３８によって電子写真装置本体１に回動可能に支持され、自由端には電子写真装置本体１との間に引張ばね３９が設けられて、常時上方に偏倚するように付勢されている。
【００１３】
またレバー部材３７と協働する加圧ローラ案内部４１が設けられ、レバー部材３７及び加圧ローラ案内部４１の表面は、閉鎖位置から開放位置の方向に下向きに傾斜している。さらに電子写真装置本体１のベース板１０の両側の支持側板２５には、定着排紙ユニット７が閉鎖位置にあるとき、定着排紙ユニット７の枢軸３１が係合するノッチ４０及び定着排紙ユニット７のノッチ３２，４２，４５が係合するロックピン２９，４３，４４が設けられている。
【００１４】
前記の実施形態において、図１は定着排紙ユニット７が閉鎖位置にある状態を示し、加圧ローラ９はその回転軸36が、レバー部材37に支承されたうえ、レバー部材37の自由端が引張ばね39に引張られて上昇することによって、定着ローラ８に圧接する。そしてこの際ロック爪28は図４において実線位置にあって、そのノッチ32はロックピン29に、定着側板13のノッチ42はロックピン43に、ロック爪28の枢軸31はノッチ40にそれぞれ係合して、定着排紙ユニット７をこの閉鎖位置に保持し、開放位置へ移動しないようにしている。そして定着ローラ８の回転軸36に取付けられた従動歯車16が、電子写真装置本体１に取付けられた駆動歯車19と噛合して、定着モータ17の回転が定着ローラ８に伝達される。
【００１５】
このような状態にある定着排紙ユニット７を、図２に示す開放位置に移動するに際しては、操作レバー33を操作して、ロック爪28をつるまきばね34の力によって、図４に示す点線位置に下降させて、そのノッチ32をロックピン29から離脱し、定着排紙ユニット７をもって移動レール30を固定レール27中を引出して、図２，６に示す開放位置に移動させる。このようにして、定着排紙ユニット７を移動させる際、加圧ローラ９は電子写真装置本体１に設けられたレバー部材37の表面に載って移動することとなるが、レバー部材37の表面は閉鎖位置から開放位置の方向に向けて下向きに傾斜しているので、図５に点線に示すように、その移動につれて加圧ローラ９は徐々に定着ローラ８から離間する。そして加圧ローラ９はレバー部材37の終端部近くで、レバー部材37の表面と同様に傾斜している加圧ローラ案内部41の表面を落下衝撃を生ずることなく円滑に移行した後、開放位置に移動することとなる。
【００１６】
この開放位置では、電子写真装置本体１と定着排紙ユニット７との間に、大きなスペースが確保され、このスペースを利用してジャム紙を除去したり、メンテナンス作業等を容易に行うことができ、加圧ローラ９は定着ローラ８から離間しているので、ジャム紙を定着ローラ８と加圧ローラ９との間から簡単に除去することができて、紙片が残ってしまうようなことがない。
【００１７】
定着排紙ユニット７を開放位置から閉鎖位置へ移動するに際しては、定着排紙ユニット７を電子写真装置本体１に押し入れると、図４に示す実線位置にあるロック爪２８の先端上部の傾斜面が、ロックピン２９の下面に当接して点線移動に移動し、ロックピン２９がノッチ３２と対向する位置となったとき、ロック爪２８がつるまきばね３４の回動力によって実線位置に自動的に復帰して閉鎖位置となる。
【００１８】
【発明の効果】
この発明は上記のようであって、転写紙上に画像を転写し、加圧加熱して画像を定着させる電子写真装置において、請求項１に記載の発明は、定着ローラと加圧ローラとを有する定着部と、排紙部と、カバー類とを具えた定着排紙ユニットを構成し、前記定着排紙ユニットが、電子写真装置本体のベース板上を該装置本体をカバー類で閉鎖して操作者が定着排紙ユニットの定着部に接触するのを防止できる閉鎖位置と、ジャム紙を除去したり、メンテナンス作業を行うスペースを確保できる開放位置との間を横方向に移動可能に設置され、閉鎖位置にあるとき定着排紙ユニットを電子写真装置本体に係止する係止手段が設けられているので、ジャム紙を除去したり、メンテナンス作業を行うために、定着排紙ユニットを開放位置に移動させると、簡単な操作で大きなスペースを確保することができて、それらの作業を容易に行うことができるという効果がある。また、定着排紙ユニットの閉鎖位置及び開放位置への移動に連動して、定着部における加圧ローラによる定着ローラへの加圧及び加圧解除が行われるので、ジャムが発生しても定着ローラと加圧ローラとの間のジャム紙を簡単に除去することができて、これらにくわえられた紙片が残ってしまうことがないという効果がある。さらに、定着部における転写紙の加圧は、加圧ローラの軸部と、該軸部を支承するレバー部材と、該レバー部材を加圧ローラの軸部を押し上げる様に作用するばね材とで行われ、レバー部材とばね材とは電子写真装置本体に設けられているので、定着排紙ユニットを簡単な構成にすることができるという効果がある。
【００２１】
請求項２に記載の発明は、請求項１に記載の発明において、電子写真装置本体にレバー部材と協働する加圧ローラ案内部が設けられ、該レバー部材及び加圧ローラ案内部の表面は、閉鎖位置から開放位置の方向に向けて下向きに傾斜しているので、加圧ローラの加圧位置と加圧解除位置との間の移動が円滑に行われるという効果がある。
【図面の簡単な説明】
【図１】この発明の実施形態の排紙ユニットが閉鎖位置にある状態を示す一部切欠縦断正面図である。
【図２】同上の排紙ユニットが開放位置にある状態を示す一部縦断正面図である。
【図３】同上の排紙ユニットの閉鎖位置にある際の平面図である。
【図４】同上の係止手段の作動説明図である。
【図５】同上の加圧ローラの支持状態を示す正面図である。
【図６】同上の排紙ユニットの開放位置にある際の平面図である。
【図７】この発明と同種の従来の電子写真装置の定着排紙ユニットが閉鎖位置にある状態を示す一部縦断正面図である。
【図８】同上の定着排紙ユニットが開放位置にある状態を示す一部縦断正面図である。
【符号の説明】
１  電子写真装置本体            ２  感光体ドラム
３  帯電チャージャ              ４  現像ユニット
６  クリーニングユニット        ７  定着排紙ユニット
８  定着ローラ                  ９  加圧ローラ
１０  ベース板                    １１  上ステー材
１２  原稿テーブル                １３  定着側板
１４  下ステー材                  １５  タイミングベルト
１６  従動歯車                    １７  定着モータ
１８  排紙ローラ                  １９  駆動歯車
２０  上前カバー                  ２１  下前カバー
２２  回転軸                      ２５  支持側板
２６  係止手段                    ２７  固定レール
２８  ロック爪                    ２９  ロックピン
３０  移動レール                  ３１  枢軸
３２  ノッチ                      ３３  操作レバー
３４  つるまきばね                ３６  回転軸
３７  レバー部材                  ３８  枢軸
３９  引張ばね                    ４０  ノッチ
４１  加圧ローラ案内部            ４２  ノッチ
４３  ロックピン                  ４４  ロックピン
４５  ノッチ
【図１】
0003625992.tif 000002
【図２】
0003625992.tif 000003
【図３】
0003625992.tif 000004
【図４】
0003625992.tif 000005
【図５】
0003625992.tif 000006
【図６】
0003625992.tif 000007
【図７】
0003625992.tif 000008
【図８】
0003625992.tif 000009